(57)【特許請求の範囲】
【請求項１】
胛被（３）の内側部（３１）において足の内側の屈筋支帯（a）から下伸筋支帯(ｂ)に対応して踵部後方下端部(３１１)から履口(３１２)に沿って開口後部(３１３)に向かう支持帯(４１１)と踏まず部中央下縁部(３１４)から開口後部(３１３)に向かう支持帯(４１２)とからなる山形支持帯(４１)を設け、胛被(３)の外側部(３２)において足の外側の下腓骨支帯(c)から下伸筋支帯(ｂ)に対応して踵部後方下端部(３２１)から履口(３２２)に沿って開口後部(３２３)に向かう支持帯(４２)を設け、内外側の支持帯(４１)と(４２)とを緊締手段(４３)で引き締め自在にしたことを特徴とするランニングシューズ。
【請求項２】
靴底のミッドソール(１)の踏まず部から踏み付け部にかけて、第１楔骨から立方骨を結ぶ線の部分から第１乃至第５中足骨関節を結ぶ線の部分に対応して、JISK６３０１による反発弾性が７０%以上で、SRIS−０１０１による硬度が４５〜６５度の衝撃吸収性の高反発弾性体(２)を挿入し、胛被(３)の内側部(３１)において足の内側の屈筋支帯(a)から下伸筋支帯(ｂ)に対応して踵部後方下端部(３１１)から履口(３１２)に沿って開口後部(３１３)に向かう支持帯(４１１)と踏まず部中央下縁部(３１４)から開口後部(３１３)に向かう支持帯(４１２)とからなる山形支持帯(４１)を設け、胛被(３)の外側部(３２)において足の外側の下腓骨支帯(ｃ)から下伸筋支帯(ｂ)に対応して踵部後方下端部(３２１)から履口(３２２)に沿って開口後部(３２３)に向かう支持帯(４２)を設け、内外側の支持帯(４１)と(４２)とを緊締手段(４３)で引き締め自在にしたことを特徴とするランニングシューズ。
【発明の詳細な説明】
【０００１】
【発明が属する技術分野】
本発明はランニングシューズ、特にスピード走行に好適なランニングシューズに関するものである。
【０００２】
【従来の技術】
正常な成人の歩行走行において、体重負荷は、まず踵部外側から内側にかけて回内しながら足の踵部裏面に負荷され、次に踵部裏面から足の長手方向における外踏まず部裏面に沿って前方へ向けて回外しながら移動され、第５指のボール部裏面、即ち第５中足骨指骨関節部裏面で足を回外して身体の姿勢バランスコントロールしながら強く地面を踏みつけてから第１指のボールジョイント部裏面、即ち第１中足骨と第１基節骨との関節部裏面へとローリングしながら地面を踏みつけて移動され、次に第１基節骨と第１末節骨を反らせてピッチングさせながら第１末節骨（第１指）裏面で地面を強力に把持して第１〜第５指、特に第１、２、３指で地面を蹴って前進するものと言われ、特に着地の初期に踵部に体重の１．２〜３．０倍の動的最大負荷が課せられるといわれ、この歩行走行工程に合せて靴底の踵部、踏み付け部に衝撃エネルギーを熱エネルギー変換して衝撃を吸収する粘弾性の衝撃吸収材を装着したウォーキングシューズ、ランニングシューズが提案されている。
【０００３】
しかしながら、近年の研究において次のことが明らかになった。即ち、スピード走行においては、まず最初に足の外側の立方骨付近を中心とした領域が着地し、次に第５中足骨の頭部、即ち踏み付け部の外側ボール部方向へスピネーション（回外）しながら第４〜第５中足骨の頭部領域が着地し、次に踏み付け部において回内しながら第４〜１中足骨の頭部が着地し、第３〜１中足骨の頭部に体重による最大負荷が課せられ、踏み付け部が着地した状態となる。この場合踵部は着地しておらず、したがつてこの時でも足の内側縦アーチでは衝撃吸収が出来ず、脚部、足首部への衝撃が大きいと言われている。次に他側肢によって推進力を得た体幹の移動にともなって足の脚部の腓骨筋とヒラメ筋からなる下腿三頭筋の収縮によって足の踵が上昇し、踏み付け部から踏まず部にかけて足の中足部が底屈を開始しながら蹴り動作が開始され、第３〜第１中足骨部から第１指骨先端方向プロネーション（回内）しながら１次加速が付加され、さらに足首の背部を通っている第３腓骨筋、前脛骨筋、長指伸筋、長母指伸筋等の伸筋が伸張され、且つ踵部の外側面を斜め下方前方に走り、足底部を通って前方へ向かっている長腓骨筋、短腓骨筋等の屈筋の収縮によって、足の踏み付け部から踏まず部にかけての足の中足部がさらに底屈して踵部が上昇しながら、第１〜第３中足骨の頭部から第１指先端部が着地した状態でさらに加速が付加され、さらに長腓骨筋、長母指屈筋、長指屈筋、短指屈筋、母指外転筋、小指外転筋等の足の縦アーチを形成している足底屈筋の収縮によって加速が一気に付加され、上方への反力よりも加速力が大となり、最後に着地していた第２中足骨頭部と第１、３指骨先端部が地面を蹴って離陸し、最終加速段階となる。
【０００４】
従って、ランニングシューズにおいては、踏み付け部で引き起こされる回外作用と回内作用と、さらに蹴り出し時に踏み付け部の第１〜第４中足骨指骨関節部から第１指骨先端方向への回内作用とを促進し、ランニング時の姿勢バランスをコントロールし、しかも足の底屈並びに縦アーチを形成する足底筋の収縮による加速度を増強すること、さらには着地時に靴底の踏み付け部に負荷される動的最大負荷を吸収すると共に蹴り出し時の反発性を高め、加速度を付与することが肝要と考えられる。そのためには、足自体において足首の背部を通っている伸筋群の伸張と足踵の内外側から足底方向へ斜めに走り、底部を通っている足底屈筋群の急速で力強い収縮とによって、着地時の踏み付け部の回外、回内作用と蹴り出し時の回内作用とを促進し、ランニング時の姿勢バランスをコントロールすると共に、足の縦アーチを形成している足底屈筋群を力強く収縮させて加速度を付加させること、さらには着地時の靴底の踏まず部から踏み付け部の衝撃吸収性と蹴り出し時の反発性を増強させることが課題とされている。
【０００５】
このためには足の踵部から足の踏まず部並びに胛前部を靴の踵部から靴の踏まず部並びに胛前部に密着させて足と靴を一体化して安定性を付与しておくこと、さらには靴底の踏み付け部の衝撃吸収性と反発弾性を同時に増強することが不可欠と考えられる。このような観点からして従来の靴底踏み付け部に粘弾性（反発性が小さい）の衝撃吸収材を装着したものは、走行において加速度の付加を阻害するばかりではなく、安定性が低下して膝関節の痛みの発生の原因ともいわれている。
【０００６】
【発明が解決しようとする課題】
この発明は走行に際して、さらに靴胛被の踵部、踏まず部、胛前部を足と一体化することによって着用時に靴の後部に安定性を付与し、足の背部を通っている伸筋群と足首の側面から足底部を通っている屈筋群を緊締して、足の踏み付け部の回外、回内作用並びに底屈作用を促進し、且つ足の縦アーチを形成している足底屈筋の収縮を促進し、その反発性とによって蹴りだし時の加速度を効果的に産み出し、さらには靴底の踏み付け部における着地衝撃を吸収すると同時に、蹴りだし時における靴底自体の反発性によって加速を付与することのできるランニングシューズを提供しようとするものである。
【０００７】
【課題を解決するための手段】
この発明は、胛被３の内側部３１において足の内側の屈筋支帯aから下伸筋支帯ｂに対応して踵部後方下端部３１１から履口３１２に沿って開口後部３１３に向かう支持帯４１１と踏まず部中央下縁部３１４から開口後部３１３に向かう支持帯４１２とからなる山形支持帯４１を設け、胛被３の外側部３２にいて足の外側の下腓骨支帯ｃから下伸筋支帯ｂに対応して踵部後方下端部３２１から履口３２２に沿って開口後部３２３に向かう支持帯４２を設け、内外側の支持帯４１と４２とを緊締手段４３で引き締め自在にしたことを特徴とするランニングシューズを請求項１の発明とし、靴底のミッドソール１の踏まず部から踏み付け部にかけて、足裏の中足部即ち第１楔骨から立方骨を結ぶ線の部分から第１乃至第５中足骨指骨関節を結ぶ線の部分に対応してJISK６３０１による反発弾性が７０%以上で、SRIS−０１０１(日本ゴム協会標準規格による膨張ゴム試験方法)による硬度が４５〜６５度の衝撃吸収性の高反発弾性体２を挿入し、胛被３の内側部３１において足の内側の屈筋支帯aから下伸筋支帯ｂに対応して踵部後方下端部３１１から履口３１２に沿って開口後部３１３に向かう支持帯４１１と踏まず部中央下縁部３１４から開口後部３１３に向かう支持帯４１２とからなる山形支持帯４１を設け、胛被３の外側部３２において足の外側の下腓骨支帯ｃから下伸筋支帯ｂに対応して踵部後方下端部３２１から履口３２２に沿って開口後部３２３に向かう支持帯４２を設け、内外側の支持帯４１と４２とを緊締手段４３で引き締め自在にしたことを特徴とするランニングシューズを請求項２の発明とするものである。
【０００８】
【発明の実施形態】
この発明において支持体４１、４２はゴム、合成樹脂、布帛、皮革等で帯条に構成され、胛被に縫着、溶着等の適宜手段によって靴胛被の内外側３１、３２に取り付けられている。支持体４１は、胛被の内側部３１において足の内側部の踵骨、距骨、舟状骨とその外を通っている後脛骨筋（足の回外と底屈の補助、縦アーチの形成作用）、長指屈筋（足指の屈曲、足の底屈、足の回外、縦アーチの形成作用）、長母指屈筋（足の回外、足母指の屈曲、足の底屈、縦アーチの形成作用）等をカバーして規定の位置に支持している屈筋支帯に沿って、踵部後方下端部３１１から履き口３１２に沿って延び、さらに足の背部の前径骨筋(足の背屈、足の回外作用)、長指伸筋（足の背屈、足指伸展、足の回内作用）、長母指伸筋（足母指の伸展、足の背屈作用）等をカバーして規定の位置に支持している下伸筋支帯ｂ’に沿って、胛被の内側開口後部３１３に延びた支持体４１１と胛被の内側開口後部３１３から分岐して、足の背部で分岐した下伸筋支帯ｂ’’に沿って靴胛被の内側の踏まず部中央下端部３１４に伸びる支持体４１２とによつて山形状に形成されている。
【０００９】
支持体４２は胛被の外側部３２において、足の踵部外側部において足の踵骨、距骨、立方骨とその外側を通つている短腓骨筋（足の底屈、足の回内作用）、長腓骨筋（足の回内、足の底屈作用）をカバーしてこれらを規定の位置に支持している下腓骨支帯に沿って、胛被の外側部３２の踵部後方下端部３２１から履き口３２２に沿って延び、さらに前記の下伸筋支帯ｂ’に沿って胛被の外側開口後部３２３に伸びている。
【００１０】
この発明において緊締手段４３は、靴紐・鳩目方式、バンド・面ファスナー方式、折り返しバンド・リング・面ファスナー方式、バンド・バックル方式等のバンド方式で構成されている。そしてバンド方式で緊締手段４３を構成する場合、バンドをゴム織り込み布、スパンデックス（登録商標）等の伸縮材でバンドを構成しておけば開口部の幅を調整することが出来るとともに、その伸縮性によって支持体４１と４２の緊締圧を滑らかに調整することが出来、支持体４１、４２による屈筋支帯、下伸筋支帯、下腓骨支帯に対する過度の圧迫を緩和することが可能で、より一層好適である。緊締手段４３としてバンド方式で構成する場合、バンドと支持体４１または４２を一体に形成しておけば、バンドの取り付けが便利である。
【００１１】
この発明において、さらに胛被の内外側の踏み付け部に踏み付け部支持体５１、５２を対向させ、これを踏み付け部緊締手段５３によつて緊締するようにしておけば踏み付け部における着地、蹴り出しをより一層安定して行える。この場合、緊締手段５３として折り返しバンド・リング・面ファスナー方式のものを使用し、バンド５３１の緊締方向と、同様に緊締手段４３として折り返しバンド・リング・面ファスナーしようしたバンド４３１の緊締方向とを、互いに逆方向に設定しておけば、胛前部と踏み付け部における緊締手段４３と５３の緊締方向が相互に逆となり、胛前開口部全体の緊締方向が胛被の外側または内側のいずれか一方に偏ることがなく、より一層好都合である。
【００１２】
この発明において、衝撃吸収性の高反発弾性材２とは外からの衝撃エネルギーを一旦、変形エネルギーとして蓄えて衝撃を吸収し、変形が戻る時再びこれを運動エネルギーとして再放出するものＥＶＡ，ＥＰＴ，ＥＰＤＭ等のポリオレフイン系の合成樹脂乃至ゴムとエチレンとプロピレン、ブテン、ペンテン、ヘキセン、ペンテン、オクテン等の共重合体であるエチレンーαオレフインの共重合体の混合ポリマーを主成分とする発泡体で構成されたものが使用される。この発明において衝撃吸収性の高反発弾性体２のＪＩＳＫ６３０１による反発弾性を７０%以上に、ＳＲＩＳ−０１０１による硬度を４５〜６５度に限定したのは、反発弾性がそれ以下になればその反発力による加速度付加が低下する欠点があり、また硬度がそれ以下となれば弾性体２が衝撃によって変形し易くなり走行時の安定性が低下し、また硬度がそれ以上になれば衝撃吸収性が低下する欠点があるからである。この発明において、靴底のミッドソールの踏まず部から踏み付け部にかけて衝撃吸収性の高反発弾性材２を厚肉に、かつ靴底踵部を後方に向けて薄く形成しておけば、踏まず部着地段階で踵部が降下して着地しようとする場合であっても、その後端部の厚肉部で漸次強化された反発弾性体によって踵部の着地が予防され、着地時での前方部への重心移動が円滑で、蹴り動作をよりスピーディーに行うことが出来、一層効果的である。
【００１３】
【発明の作用効果】
この発明は以上のように構成されているので、請求項１の発明において、支持体４１と支持体４２を引き締めて緊締手段４３によって緊締して着用すれば、支持体４１を構成する支持体４１１によって靴胛被の内側部３１において、足の内側部の踵骨、距骨、舟状骨とその外側を通っている後脛骨筋（足の回外と底屈の補助、アーチ形成作用）、長指屈筋（足指の屈曲、足の底屈、足の回外、アーチ形成作用）、長母指屈筋（足の回外、足母指の屈曲、足の底屈、アーチ形成作用）などの屈筋をカバーしている屈筋支帯を介して、これらの骨や屈筋を支持して靴胛被の内側部３１を足の踵部から踏まず部内側面に密着出来、さらに支持体４２によって靴胛被の外側部３２において、足の外側面の踵骨、距骨、立方骨とその外側を通つている短腓骨筋（足の底屈、足の回内作用）、長腓骨筋（足の回内、足の底屈作用）をカバーして下腓骨支帯を介して、靴胛被の外側部３２を足の踵部から踏まず部に密着出来、且つ支持体４１．４２の上辺部並びに緊締手段４３によつて靴の胛前部において舟状骨、立方骨とその外側を通っている前径骨筋(足首の屈曲、足の回外作用)、長指伸筋（足首の屈曲、足指伸展、足の回内作用）、長母指伸筋（足母指の伸展、足屈曲作用）等をカバーしている下伸筋下伸筋支帯を介して、靴の胛前部を足に密着出来る。このようにして支持体４１、４２によって、足の踵部から踏まず部にかけてこれらの骨や屈筋群、伸筋の動きを阻害することなく、これらの骨や屈筋群、伸筋群を規定の位置で支持できる。従って、本発明のランニングシューズは、靴胛被の踵部、踏まず部、胛前部を足と一体化することによって足首背部を通っている伸筋群と、足首の側面から足底部を通っている屈筋群を緊締して踏み付け部の回外作用と回内作用を促進し、身体の姿勢バランスが保持され、且つアーチを形成している長腓骨筋、長母指屈筋、長指屈筋、短指屈筋、母指外転筋、小指外転筋等の足の縦アーチを形成している足底屈筋の収縮を促進し、その反発性とによって蹴りだし時の加速度を効果的に産み出すことのできる。
【００１４】
さらに請求項２の発明において靴底のミッドソール１の踏まず部から踏み付け部にかけて、JISK６３０１による反発弾性が７０%以上で、SRIS−０１０１による硬度が４５〜６５度の衝撃吸収性の高反発弾性体２を挿入しているので、踏まず部から踏み付け部にかけての着地時の衝撃を緩和すると同時にその反発性によって蹴り出し時の加速度をさらに付加することができる。
【図面の簡単な説明】
【図１】ランニングシューズの内側面図である。
【図２】ランニングシューズの外側面図である。
【図３】ランニングシューズの平面図である。
【図４】足の内側の構造図である。
【図５】足の外側の構造図である。
【図６】足の前面の構造図である
【符号の説明】
１．ミッドソール
２．高反発弾性体
３．胛被
３１・・・内側部
３１１・・・踵部後方下端部
３１２・・・履口
３１３・・・開口後部
３１４・・・踏まず部中央下縁部
３２・・・外側部
３２１・・・踵部後方下端部
３２２・・・履口
３２３・・・開口後部
４１．山形支持帯
４１１・・・支持体
４１２・・・支持帯
４２．支持帯
４３．緊締手段
ａ．屈筋支帯
ｂ．下伸筋支帯
ｃ．下腓骨支帯
【図１】
0004868665.tif 000002
【図２】
0004868665.tif 000003
【図３】
0004868665.tif 000004
【図４】
0004868665.tif 000005
【図５】
0004868665.tif 000006
【図６】
0004868665.tif 000007